(57)【特許請求の範囲】
【請求項１】
開口部を有するベースと、開口部を有し前記ベースに結合されるカバーと、前記ベース及びカバーにより画定される空間内に配置されて前記開口部を開放する開放位置と前記開口部を閉鎖する閉鎖位置の間を移動自在に支持されたバリヤ羽根と、前記バリヤ羽根を開閉駆動する駆動機構と、を備えたレンズバリヤ装置であって、
前記駆動機構は、前記バリヤ羽根が揺動する面と平行に伸長する回転軸をもつモータと、前記モータに直結されたリードスクリューと、前記リードスクリューに螺合すると共に回転が規制されたナットと、前記ベースに対して回動自在に支持され前記バリヤ羽根を揺動自在に連結する回転支軸と、前記回転支軸の周りに嵌め込まれて固定されたコイル部及び前記コイル部から平行に伸長して前記ナットに係合される自由端側を画定する二つの腕部を有する捩りバネを含む、
ことを特徴とするレンズバリヤ装置。
【請求項２】
前記ナットは、前記回転支軸と平行な方向に突出する突出部を有し、
前記捩りバネの二つの腕部は、前記突出部を挟み込むように係合している、
ことを特徴とする請求項１に記載のレンズバリヤ装置。
【請求項３】
前記回転支軸は、円形以外の異形断面をなす嵌合部を有し、
前記バリヤ羽根は、前記嵌合部を嵌合させる嵌合孔を有する、
ことを特徴とする請求項１又は２に記載のレンズバリヤ装置。
【請求項４】
前記バリヤ羽根が、前記閉鎖位置又は前記開放位置のいずれに位置するかを検出する検出機構を含み、
前記検出機構は、前記ナットに形成された被検出片と、前記被検出片が前記閉鎖位置に対応する位置及び前記開放位置に対応する位置のいずれの位置にあるかを検出する検出センサとを含む、
ことを特徴とする請求項１ないし３いずれか一つに記載のレンズバリヤ装置。
【発明の詳細な説明】
【技術分野】
【０００１】
本発明は、カメラの未使用時にレンズの前方を覆うレンズバリヤ装置に関し、特に、デジタルカメラを備える携帯電話機等に搭載されるレンズバリヤ装置に関する。
【背景技術】
【０００２】
従来のレンズバリヤ装置としては、レンズのズーミングを行うためのズームモータ、ズームモータの駆動力を伝達するズーム歯車列、ズーム歯車列により伝達される駆動力によりレンズを光軸方向に移動させるズーム機構等を備えたカメラにおいて、バリヤ羽根を開閉するバリヤ開閉機構として、ズーム歯車列に連結された歯車列、バリヤ開閉用アーム、付勢バネ等を設け、又、ズーム歯車列の動力伝達経路の途中においてバリヤ開閉機構に連結される遊星歯車機構を設け、遊星歯車機構（遊星歯車）の位置に応じて、ズームモータの駆動力をズーム機構とバリヤ開閉機構とに切り換えて伝達するようにしたものが知られている（例えば、特許文献１参照）。
この装置においては、ズーム機構を駆動する一つの駆動源（ズームモータ）を、バリヤ開閉機構を駆動する駆動源として兼用したものである。
【０００３】
しかしながら、このレンズバリヤ装置においては、複数の歯車列を追加するため、装置の複雑化、大型化を招き、又、ズームモータは、その駆動軸の方向がレンズの光軸と平行（すなわち、バリヤ羽根に垂直）となる方向に配置されているため、光軸方向において装置を薄型化するのは困難である。
一方、ズーミングを行わないデジタルカメラ等においては、ズーム機能の駆動源等が存在しないため、上記のようにバリヤ開閉機構の駆動源として兼用することができない。そこで、バリヤ羽根の駆動機構として、上記のような構成をなす駆動機構を適用すると、携帯電話機等に搭載されるように、レンズバリヤ装置を薄型化及び小型化するのが困難である。
【０００４】
また、携帯電話機に搭載された従来のレンズバリヤ装置としては、表示側ケースと本体側ケースをヒンジ部で連結した折り畳み式の携帯電話機において、表示側ケースに設けられた開口部を開閉するべく揺動自在に設けられたバリヤ羽根、バリヤ羽根を開放位置に向けて常時付勢する捩りバネ、ヒンジ部に同軸に配置されたワイヤリール、一端がバリヤ羽根の一部に連結され他端がワイヤリールに連結されたワイヤ等を備え、携帯電話機（の表示側ケース）を折り畳むと、ワイヤがワイヤリールに巻き取られて、バリヤ羽根が捩りバネの付勢力に抗して開口部を閉鎖し、携帯電話機（の表示側ケース）を展開すると、ワイヤがワイヤリールから解かれてバリヤ羽根が捩りバネの付勢力により開口部を開放するように形成されたものが知られている（例えば、特許文献２参照）。
【０００５】
しかしながら、このレンズバリヤ装置においては、ワーヤをヒンジ部に設けられたワイヤリールにより巻き取る構成を備えるため、バリヤ羽根、捩りバネ、ワイヤ、ワイヤリールを一つのベース上に集約してモジュール化（ユニット化）するのが困難であり、この装置を携帯電話機に組み付ける作業が容易ではない。また、バリヤ羽根は、ワイヤで閉鎖位置に向けて引っ張られた状態で、捩りバネにより開放位置に向けて付勢されているため、例えば、バリヤ羽根を強引に開けようとした場合、ワイヤが破断する虞がある。
【０００６】
【特許文献１】特開２０００−１２２１１７号公報
【特許文献２】特開２００４−２２１７５５号公報
【発明の開示】
【発明が解決しようとする課題】
【０００７】
本発明は、上記の事情に鑑みて成されたものであり、その目的とするところは、構造の簡素化、薄型化、小型化等を図りつつ、機能上の信頼性を確保して、特にデジタルカメラを備える携帯電話機等に搭載されるのに適したレンズバリヤ装置を提供することにある。
【課題を解決するための手段】
【０００８】
本発明のレンズバリヤ装置は、開口部を有するベースと、開口部を有しベースに結合されるカバーと、ベース及びカバーにより画定される空間内に配置されて開口部を開放する開放位置と開口部を閉鎖する閉鎖位置の間を移動自在に支持されたバリヤ羽根と、バリヤ羽根を開閉駆動する駆動機構とを備えたレンズバリヤ装置であって、上記駆動機構は、バリヤ羽根が揺動する面と平行に伸長する回転軸をもつモータと、モータに直結されたリードスクリューと、リードスクリューに螺合すると共に回転が規制されたナットと、ベースに対して回動自在に支持されバリヤ羽根を揺動自在に連結する回転支軸と、回転支軸の周りに嵌め込まれて固定されたコイル部及びコイル部から平行に伸長してナットに係合される自由端側を画定する二つの腕部を有する捩りバネを含む、ことを特徴としている。
この構成によれば、モータの駆動力により、リードスクリュー及びナットを介して、捩りバネの自由端側（二つの腕部）が一方向に移動すると、回転支軸が一方向に回転して、バリヤ羽根は開口部を閉鎖する閉鎖位置に移動し、一方、捩りバネの自由端側（二つの腕部）が他方向に移動すると、回転支軸が他方向に回転して、バリヤ羽根は開口部を開放する開放位置に移動する。
このように、駆動機構として、モータ、リードスクリュー、ナット、回転支軸、回転支軸に固定された捩りバネを採用したことにより、構造の簡素化、装置の小型化及び薄型化を達成しつつ、バリヤ羽根に開閉動作を確実に行わせることができ、又、コイル部を回転支軸に嵌め込んで固定すると共に自由端側としての二つの腕部をナットに係合させる捩りバネを採用するため、組付け作業の容易化を達成することができる。
また、捩りバネの自由端側（二つの腕部）を過移動させても、バリヤ羽根がストッパ等に当接して停止した状態で、捩りバネの自由端側（二つの腕部）が弾性変形するため、回転支軸が所定の角度を越えて過回転するのを防止でき、バリヤ羽根を開放位置又は閉鎖位置に確実に位置付けることができる。
さらに、閉鎖状態において、バリヤ羽根を強引に開けようとする外力が加わった場合、捩りバネがその外力を吸収するべく自由端側（二つの腕部）が弾性変形して回転支軸が回転し、バリヤ羽根の移動が可能になるため、駆動機構に過大な負荷が加わらず、駆動機構あるいはバリヤ羽根の破損等を防止でき、所期の機能を確実に保証することができる。
【００１１】
上記構成において、ナットは回転支軸と平行な方向に突出する突出部を有し、捩りバネの二つの腕部は突出部を挟み込むように係合している、構成を採用することができる。
この構成によれば、組付けに際して、ナットがリードスクリューに螺合され、回転支軸に捩りバネのコイル部が固定された状態で、ナットの突出部を外側から挟みこむように二つの腕部を係合させることで、弾性部材をナットに着脱自在に連結することができる。したがって、組付け作業及び分解作業を容易に行うことができる。また、二つの腕部が突出部を挟み込むように係合しているため、ナットがリードスクリューの軸線方向に移動すると、二つの腕部は突出部の外周面に摺動自在に係合した状態で、ナットに連動して移動すると共に容易に方向変換を行う（すなわち回転する）ことができ、回転支軸を円滑に回転させることができる。
【００１２】
上記構成において、回転支軸は、円形以外の異形断面をなす嵌合部を有し、バリヤ羽根は、嵌合部を嵌合させる嵌合孔を有する、構成を採用することができる。
この構成によれば、回転支軸の嵌合部をバリヤ羽根の嵌合孔に嵌合させるだけで、回転支軸とバリヤ羽根を一体的に回転するように連結することができるため、連結のための特別な部品が不要であり、部品点数の削減、構造の簡素化等を達成することができる。
【００１３】
上記構成において、バリヤ羽根が閉鎖位置又は開放位置のいずれに位置するかを検出する検出機構を含み、検出機構は、ナットに形成された被検出片と、被検出片が閉鎖位置に対応する位置及び開放位置に対応する位置のいずれの位置にあるかを検出する検出センサとを含む、構成を採用することができる。
この構成によれば、検出機構により、バリヤ羽根が閉鎖位置に位置するのか又は開放位置に位置するのかを検出できるため、モータとしてもＤＣモータ等を利用でき、駆動機構の制御が容易になる。特に、ナットに形成された被検出片の位置を（例えば、透過型あるいは反射型の光センサ等の）検出センサにより検出することでバリヤ羽根の位置を検出できるため、検出機構を簡素化しつつ、バリヤ羽根の位置を確実に検出することができる。
【発明の効果】
【００１４】
上記構成をなすバリヤ装置によれば、構造の簡素化、薄型化、小型化等を達成しつつ、機能上の信頼性を確保して、特にデジタルカメラを備える携帯電話機等に搭載されるのに適したレンズバリヤ装置を得ることができる。
【発明を実施するための最良の形態】
【００１５】
以下、本発明の最良の実施形態について、添付図面を参照しつつ説明する。
図１ないし図７は、本発明に係るレンズバリヤ装置の一実施形態を示すものであり、図１はレンズバリヤ装置を搭載した携帯電話機の外観斜視図、図２はレンズバリヤ装置の平面図、図３はレンズバリヤ装置の分解斜視図、図４はレンズバリヤ装置の一部を示した分解斜視図、図５ないし図７はレンズバリヤ装置におけるバリヤ羽根の動作を示す平面図である。
【００１６】
このレンズバリヤ装置Ｍが搭載される携帯電話機ＭＰは、図１に示すように、円形の撮影窓Ｐ１を有し、撮影窓Ｐ１の後方の内部空間において、前方から後方に向けて順に配置されたレンズバリヤ装置Ｍ、レンズを含むデジタルカメラＵを備えている。
レンズバリヤ装置Ｍは、図２ないし図７に示すように、円形の開口部１１ａを有するベース１０、ベース１０の前面に結合されると共に略矩形の開口部２１を有するカバー２０、ベース１０及びカバー２０により画定される内部空間に収容されたバリヤ羽根３０、バリヤ羽根３０を開閉駆動する駆動機構１００、検出機構の一部をなす２つの検出センサ１１０，１１１等を備えている。
【００１７】
駆動機構１００は、図２ないし図４に示すように、ベース１０に対して回動自在に支持されてバリヤ羽根３０を連結する回転支軸１０１、回転支軸１０１に一端側が固定されて自由端側が弾性変形する弾性部材としての捩りバネ１０２、回転駆動力を発生するモータ１０３、モータ１０３に直結されたリードスクリュー１０４、リードスクリュー１０４に螺合するナット１０５、ナット１０５の回転を規制しつつ往復動自在にガイドする二つのガイドシャフト１０６，１０７等を備えている。
【００１８】
ベース１０は、図３及び図４に示すように、略矩形の輪郭をなすメインベース１１、メインベース１１に連結されるサブベース１２により形成されている。
メインベース１１は、図２ないし図４に示すように、レンズに向う被写体光を通す円形の開口部１１ａ、開口部１１ａの周りにおいてバリヤ羽根３０を光軸方向Ｌに垂直な平面内にて摺動自在にガイドするガイド面１１ｂ、回転支軸１０１を回動自在に支持するべく通す円形の貫通孔１１ｃ、モータ１０３を固定すると共にリードスクリュー１０４及びナット１０５を収容するケース部１１ｄ、ケース部１１ｄに設けられて２つのガイドシャフト１０６，１０７を嵌合する嵌合穴１１ｅ、カバー２０を結合するための掛止部１１ｆ、締結用のネジＢを捩じ込むネジ穴１１ｇ、バリヤ羽根３０を当接させて開放位置に位置決めする開きストッパ１１ｈ、バリヤ羽根３０を当接させて閉鎖位置に位置決めする閉じストッパ１１ｉ等を備えている。
サブベース１２は、図３及び図４に示すように、メインベース１１のケース部１１ｄを覆うべく連結されるように形成されており、モータ１０３を押圧して固定する固定部１２ａ、２つの検出センサ１１０，１１１を外側から挿入して嵌め込む略矩形の２つの開口部１２ｂ、後述する回転支軸１０１の縮径部１０１ｄの端部を当接させて支持する軸受け部１２ｃ等を備えている。
【００１９】
カバー２０は、図２及び図３に示すように、略矩形の輪郭をなすように平板状に形成されており、レンズに向う被写体光を通す略矩形の開口部２１、回転支軸１０１の先端側を通す円孔２２、メインベース１１の掛止部１１ｆに掛止される掛止片２３、締結用のネジＢが通される円孔２４等を備えている。
【００２０】
バリヤ羽根３０は、図３、図５ないし図７に示すように、開口部１１ａを覆う略矩形の遮蔽部３１、遮蔽部３１から延出する腕部３２、腕部３２の先端側に形成された円形以外の異形孔をなし後述する回転支軸１０１の嵌合部１０１ｂが嵌合される嵌合孔３３等を備えている。
すなわち、バリヤ羽根３０は、ベース１０（メインベース１１）及びカバー２０により画定される内部空間において光軸方向Ｌに垂直な平面内において揺動自在に配置され、図５に示すように開口部１１ａ，２１を開放する開放位置と、図６に示すように開口部１１ａ，２１を閉鎖する閉鎖位置の間を移動するようになっている。
【００２１】
回転支軸１０１は、図３ないし図５に示すように、メインベース１１の貫通孔１１ｃに摺動自在に嵌合される円柱部１０１ａ、円柱部１０１ａの先端領域に形成された嵌合部１０１ｂ、メインベース１１の内側面でかつ貫通孔１１ｃの縁部領域に当接されて軸線方向の移動が規制される環状のフランジ部１０１ｃ、フランジ部１０１ｃから延出する縮径部１０１ｄ等を備えている。
【００２２】
円柱部１０１ａは、メインベース１１の貫通孔１１ｃに回動自在に嵌合されてラジアル方向において支持されるようになっている。
嵌合部１０１ｂは、円形以外の異形断面をなすように形成されており、バリヤ羽根３０の嵌合孔３３に嵌合されることで、バリヤ羽根３０を回転支軸１０１と一体的に回転させるように連結するものである。
フランジ部１０１ｃは、メインベース１１の内側面でかつ貫通孔１１ｃの縁部領域に当接して、回転支軸１０１が軸線方向に移動するのを規制するものである。
縮径部１０１ｄは、後述する捩りバネ１０２のコイル部１０２ａを、その周りに嵌め込んだ後に、カシメ処理されてコイル部１０２ａを固定するように形成されている。また、縮径部１０１ｄは、カシメ処理の後に、その端部がサブベース１２の軸受け部１２ｃに当接されて、軸線方向の移動が規制されるようになっている。
すなわち、回転支軸１０１は、図５ないし図７に示すように、ベース１０に対して回動自在に支持されて、バリヤ羽根３０を揺動自在に連結するように形成されている。
【００２３】
捩りバネ１０２は、図３ないし図５に示すように、回転支軸１０１の縮径部１０１ｄに嵌め込まれて固定される一端側としてのコイル部１０２ａ、コイル部１０２ａから平行に伸長して自由端側を画定する二つの腕部１０２ｂを備えている。
コイル部１０２ａは、回転支軸１０１の縮径部１０１ｄに嵌め込まれた後、回転支軸１０１に対して空回りしないようにカシメ処理等により固定されている。尚、コイル部１０２ａを縮径部１０１ｄに固定する手法としては、カシメ処理に限らず、その他の固定手法を採用することができる。
二つの腕部１０２ｂは、図５ないし図７に示すように、後述するナット１０５の突出部１０５ｄを、バリヤ羽根３０の揺動方向に平行な面内において両側から挟み込んで係合するように形成されている。
【００２４】
このように、捩りバネ１０２は、一端側としてのコイル部１０２ａを回転支軸１０１（の縮径部１０１ｄ）に嵌め込んで固定すると共に自由端側としての二つの腕部１０２ｂを駆動ユニットの一部をなすナット１０５の突出部１０５ｄに連結する（係合させる）だけで、組み付けを完了することができ、組付け作業の容易化を達成することができる。
また、組付けに際して、ナット１０５がリードスクリュー１０４に螺合され、回転支軸１０１（の縮径部１０１ｄ）に捩りバネ１０２のコイル部１０２ａが固定された状態で、ナット１０５の突出部１０５ｄを外側から挟みこむように二つの腕部１０２ｂを係合させることで、捩りバネ１０２をナット１０５に着脱自在に連結することができる。
したがって、組付け作業及び分解作業を容易に行うことができ、又、二つの腕部１０２ｂが突出部１０５ｄを挟み込むように係合しているため、ナット１０５がリードスクリュー１０４の軸線方向に移動すると、二つの腕部１０２ｂは突出部１０５ｄの外周面に摺動自在に係合した状態で、ナット１０５に連動して移動すると共に容易に方向変換を行う（すなわち回転する）ことができ、回転支軸１０１を円滑に回転させることができる。
【００２５】
モータ１０３は、図３ないし図５に示すように、その回転軸１０３ａがバリヤ羽根３０の揺動方向に平行な面と平行に伸長するように方向付けられて、メインベース１１のケース部１１ｄ及びサブベース１２の固定部１２ａにより収容されて固定されている。ここで、モータ１０３としては、ＤＣモータを適用することができ、その他、ステッピングモータ等を適用してもよい。
リードスクリュー１０４は、図３ないし図５に示すように、その軸線が回転軸１０３ａと同軸上において伸長するように方向付けられて、モータ１０３の回転軸１０３ａに直結（直接連結）されている。
【００２６】
ナット１０５は、図３ないし図５に示すように、リードスクリュー１０４に螺合される雌ネジ部１０５ａ、雌ネジ部１０５ａに一体的に形成されてガイドシャフト１０６，１０７により摺動自在にガイドされる２つの被ガイド部１０５ｂ，１０５ｃ、雌ネジ部１０５ａと被ガイド部１０５ｂとを連結するべく回転支軸１０１と平行な方向に突出する円柱状の突出部１０５ｄ（図５参照）、雌ネジ部１０５ａから突出部１０５ｄとは逆向きに突出しかつ略Ｌ字状に屈曲して形成された被検出片１０５ｅ等を備えている。
【００２７】
被ガイド部１０５ｂ，１０５ｃは、それぞれガイドシャフト１０６，１０７によりその軸線方向に摺動自在にガイドされている。すなわち、ナット１０５は、被ガイド部１０５ｂ，１０５ｃとガイドシャフト１０６，１０７の係合関係により、リードスクリュー１０４回りの回転が規制されている。
突出部１０５ｄは、図５ないし図７中の点線で示すように、雌ネジ部１０５ａと被ガイド部１０５ｂを連結するように縮径した円柱状に形成されており、その外周面を挟み込むように捩りバネ１０２の二つの腕部１０２ｂが係合させられるようになっている。
被検出片１０５ｅは、後述する２つの検出センサ１１０，１１１にそれぞれ臨む位置に移動して検出されるように形成されている。
【００２８】
ガイドシャフト１０６，１０７は、図３及び図４に示すように、円形断面をなしリードスクリュー１０４の軸線方向と平行に伸長するように形成されて、その両端部がメインベース１１の嵌合穴１１ｅに嵌合されて固定されている。そして、ガイドシャフト１０６，１０７は、それぞれナット１０５の被ガイド部１０５ｂ，１０５ｃのガイド溝に係合して、ナット１０５をリードスクリュー１０４の軸線方向にガイドするようになっている。
すなわち、ガイドシャフト１０６，１０７は、お互いに協働してナット１０５がリードスクリュー１０４の軸線回りに回転するのを規制しつつ、リードスクリュー１０４の軸線方向に往復動自在にガイドするようになっている。
【００２９】
ここでは、モータ１０３、リードスクリュー１０４、ナット１０５により、弾性部材としての捩りバネ１０２の自由端側（二つの腕部１０２ｂ）をリードスクリュー１０４の軸線方向に往復駆動する駆動ユニットが構成されている。
また、回転支軸１０１、捩りバネ１０２、及び駆動ユニット（モータ１０３、リードスクリュー１０４、ナット１０５）により、バリヤ羽根３０を開閉駆動する駆動機構が構成されている。
【００３０】
すなわち、上記駆動ユニットにおいては、モータ１０３によりリードスクリュー１０４が一方向に回転すると、ナット１０５が一方向に移動し、ナット１０５に追従して捩りバネ１０２及び回転支軸１０１が一方向に回転することで、図６に示すように、バリヤ羽根３０は開口部１１ａ，２１を閉鎖する閉鎖位置に至る。
一方、モータ１０３によりリードスクリュー１０４が他方向に回転すると、ナット１０５が他方向に移動し、ナット１０５に追従して自由端側（二つの腕部１０２ｂ）が移動し、捩りバネ１０２及び回転支軸１０１が他方向に回転することで、図５に示すように、バリヤ羽根３０は開口部１１ａ，２１を開放する開放位置に至る。
また、バリヤ羽根３０が閉鎖位置にある状態において、バリヤ羽根３０を強引に開けるような外力が加わった場合、図７に示すように、ナット１０５が所定位置に停止した状態でおいて、捩りバネ１０２の二つの腕部１０２ｂが弾性変形して、回転支軸１０１が回転するため、バリヤ羽根３０はその外力に応じて開放動作を行うようになっている。
【００３１】
このように、駆動ユニットとして、バリヤ羽根３０の揺動する面と平行となるように回転軸１０３ａが方向付けられて配置されたモータ１０３、リードスクリュー１０４、捩りバネ１０２の二つの腕部１０２ｂ（自由端側）を係合させて連動させるナット１０５を採用したことにより、構造の簡素化、装置の小型化及び一層の薄型化を達成することができる。
また、駆動機構として弾性変形可能な弾性部材を用いたリンク機構を採用してバリヤ羽根３を開閉駆動することにより、構造の簡素化、装置の小型化及び薄型化を達成しつつ、バリヤ羽根３０に開閉動作を確実に行わせることができる。
さらに、閉鎖状態において、バリヤ羽根３０を強引に開けようとする外力が加わった場合、捩りバネ１０２の二つの腕部１０２ｂが弾性変形して回転支軸１０１の回転を許容するため、駆動機構に過大な負荷が加わらず、駆動機構あるいはバリヤ羽根３０の破損等を防止でき、所期の機能を確実に保証することができる。
【００３２】
検出センサ１１０，１１１は、図３ないし図５に示すように、変形可能な回路基板１２０（フレキシブルプリント配線基板（ＦＰＣ））に固定された透過型の光センサであり、サブベース１２の開口部１２ｂを通して嵌め込まれて、メインベース１１及びサブベース１２により囲繞される空間内に配置される。そして、検出センサ１１０は、図５に示すように、ナット１０５の被検出片１０５ｅを検出することで、バリヤ羽根３０が開放位置に位置することを検出し、検出センサ１１１は、図６に示すように、ナット１０５の被検出片１０５ｅを検出することで、バリヤ羽根３０が閉鎖位置に位置することを検出するようになっている。尚、検出センサ１１０，１１１としては、反射型の光センサを採用してもよい。また、回路基板としては、硬質基板にＦＰＣを接続する形式を採用してもよい。
【００３３】
すなわち、ナット１０５の被検出片１０５ｅ、２つの検出センサ１１０，１１１により、バリヤ羽根３０が閉鎖位置又は開放位置のいずれに位置するかを検出する検出機構が構成されている。
このように、検出機構を設けたことにより、検出情報を利用して駆動制御を行うことができるため、モータ１０３としてＤＣモータ等を利用でき、駆動機構の制御が容易になる。また、検出機構として、ナット１０５の被検出片１０５ｅ、検出センサ１１０，１１１を採用したことにより、検出機構を簡素化しつつ、バリヤ羽根３０の位置を確実に検出することができる。
【００３４】
次に、上記レンズバリヤ装置の動作について、図５ないし図７を参照しつつ説明する。
先ず、デジタルカメラＵが未使用の状態では、図６に示すように、バリヤ羽根３０は開口部１１ａ，２１を閉鎖した閉鎖位置にある。また、この閉鎖位置において、検出センサ１１１はバリヤ羽根３０が閉鎖位置にあることを検出している。
【００３５】
ここで、操作者が、デジタルカメラＵにより撮影するために、携帯電話機ＭＰに設けられた操作ボタン（不図示）を操作すると、モータ１０３が起動して、リードスクリュー１０４が他方向に回転し、ナット１０５が他方向に移動し始め、捩りバネ１０２の二つの腕部１０２ｂがナット１０５（突出部１０５ｄ）に連動して移動し、回転支軸１０１が他方向に所定角度回転し、図５に示すように、バリヤ羽根３０は開口部１１ａ，２１を開放する開放位置に至り開きストッパ１１ｈに当接して停止すると同時に、検出センサ１１０により検出信号が出力されて、モータ１０３が停止する。
ここで、仮にモータ１０３が過回転して、ナット１０５が過移動しても、捩りバネ１０２の二つの腕部１０２ｂが弾性変形してその過移動を吸収するため、バリヤ羽根３０は無理な力を受けることなく開放位置に確実に位置決めされる。
これにより、バリヤ羽根３０は開口部１１ａ，２１を全開した状態となり、デジタルカメラＵによる撮影が可能となる。
【００３６】
一方、撮影が終了した後、操作者が携帯電話機ＭＰに設けられた操作ボタン（不図示）を操作すると、モータ１０３が起動して、リードスクリュー１０４が一方向に回転し、ナット１０５が一方向に移動し始め、捩りバネ１０２の二つの腕部１０２ｂがナット１０５（突出部１０５ｄ）に連動して移動し、回転支軸１０１が一方向に所定角度回転し、図６に示すように、バリヤ羽根３０は開口部１１ａ，２１を閉鎖する閉鎖位置に至り閉じストッパ１１ｉに当接して停止すると同時に、検出センサ１１１により検出信号が出力されて、モータ１０３が停止する。
ここで、仮にモータ１０３が過回転して、ナット１０５が過移動しても、捩りバネ１０２の二つの腕部１０２ｂが弾性変形してその過移動を吸収するため、バリヤ羽根３０は無理な力を受けることなく閉鎖位置に確実に位置決めされる。
【００３７】
また、操作者の手が触れてあるいは他の物体が当って、バリヤ羽根３０を開くような力が加わった場合、図７に示すように、ナット１０５が所定位置に停止した状態で、捩りバネ１０２の二つの腕部１０２ｂが弾性変形して、回転支軸１０１の回転を許容する。これにより、バリヤ羽根３０は外力に応じて開放動作を行う。したがって、無理な力がバリヤ羽根３０に加わることはなく、又、駆動機構にも無理な負荷が加わることはない。これにより、駆動機構あるいはバリヤ羽根３０の破損等が防止される。
【００３８】
以上述べたように、上記構成をなす装置によれば、駆動機構として、モータ１０３、リードスクリュー１０４、ナット１０５、回転支軸１０１、回転支軸１０１に固定され自由端側がナット１０５に係合する捩りバネ１０２を採用したことにより、構造の簡素化、装置の小型化及び薄型化を達成しつつ、バリヤ羽根３０に開閉動作を確実に行わせることができる。
また、駆動ユニット（モータ１０３、リードスクリュー１０４、ナット１０５）により、捩りバネ１０２の自由端側（二つの腕部１０２ｂ）を過移動させても、捩りバネ１０２の自由端側（二つの腕部１０２ｂ）が弾性変形するため、回転支軸１０１が所定の角度を越えて過回転するのを防止でき、バリヤ羽根３０を開放位置又は閉鎖位置に確実に位置付けることができる。
さらに、閉鎖状態において、バリヤ羽根３０を強引に開けようとする外力が加わった場合、その外力を吸収するべく捩りバネ１０２の自由端側（二つの腕部１０２ｂ）が弾性変形して回転支軸１０１が回転し、バリヤ羽根３０の移動が可能になるため、駆動機構に過大な負荷が加わらず、駆動機構あるいはバリヤ羽根３０の破損等を防止でき、所期の機能を確実に保証することができる。
【産業上の利用可能性】
【００４０】
以上述べたように、本発明のレンズバリヤ装置は、構造の簡素化、薄型化、小型化等を達成できるため、デジタルカメラを備える携帯電話機等に適用できるのは勿論のこと、薄型化が要求されるものであれば、その他の携帯情報端末機等にも有用である。
【図面の簡単な説明】
【００４１】
【図１】本発明に係るレンズバリヤ装置を搭載した携帯電話機を示す外観斜視図である。
【図２】本発明に係るレンズバリヤ装置の平面図である。
【図３】本発明に係るレンズバリヤ装置の分解斜視図である。
【図４】本発明に係るレンズバリヤ装置の一部を示す分解斜視図である。
【図５】本発明に係るレンズバリヤ装置の内部を示す平面図である。
【図６】本発明に係るレンズバリヤ装置の内部を示す平面図である。
【図７】本発明に係るレンズバリヤ装置の内部を示す平面図である。
【符号の説明】
【００４２】
ＭＰ  携帯電話機
Ｐ１  撮影窓
Ｍ  レンズバリヤ装置
Ｕ  デジタルカメラ
Ｌ  レンズの光軸方向
１０  ベース
１１  メインベース
１１ａ  開口部
１１ｂ  ガイド面
１１ｃ  貫通孔
１１ｄ  ケース部
１１ｅ  嵌合穴
１１ｆ  掛止部
１１ｇ  ネジ穴
１１ｈ  開きストッパ
１１ｉ  閉じストッパ
１２  サブベース
１２ａ  固定部
１２ｂ  開口部
１２ｃ  軸受け部
２０  カバー
２１  開口部
２２，２４  円孔
２３  掛止片
３０  バリヤ羽根
３１  遮蔽部
３２  腕部
３３  嵌合孔
１００  駆動機構
１０１  回転支軸（駆動機構）
１０１ａ  円柱部
１０１ｂ  嵌合部
１０１ｃ  フランジ部
１０１ｄ  縮径部
１０２  捩りバネ（弾性部材、駆動機構）
１０２ａ  コイル部（一端側）
１０２ｂ  二つの腕部（自由端側）
１０３  モータ（駆動ユニット、駆動機構）
１０３ａ  回転軸
１０４  リードスクリュー（駆動ユニット、駆動機構）
１０５  ナット（駆動ユニット、駆動機構）
１０５ａ  雌ネジ部
１０５ｂ，１０５ｃ  被ガイド部
１０５ｄ  突出部
１０５ｅ  被検出片（検出機構）
１０６，１０７  ガイドシャフト
１１０，１１１  検出センサ（検出機構）
１２０  回路基板
【図１】
0005065957.tif 000002
【図２】
0005065957.tif 000003
【図３】
0005065957.tif 000004
【図４】
0005065957.tif 000005
【図５】
0005065957.tif 000006
【図６】
0005065957.tif 000007
【図７】
0005065957.tif 000008